(57)【要約】【課題】上レール内を走行自在とされる走行ランナによって折戸が吊持された吊戸型の折戸と、戸元側で支持され戸先側上端に上レールの溝部に嵌合しスライドをガイドする摺動ピボットを備えた戸元支持型の折戸とに共通的に使用可能とした折戸のランナ取付具を提供する。【解決手段】ランナ取付具８は着脱自在に取り付けられる摺動ピボット用アタッチメント１４を備え、前記摺動ピボット用アタッチメント１４は、ランナ取付具８のケース体２５の上面部２５Ａを挟むように嵌合される嵌合取付部１５Ａと、軸貫通孔１５ｅが形成されたピボット支持部１５Ｂとを有する着脱ホルダ部材１５と、上端に回転可能なピボットシュー１７を備え、軸部１８が前記ピボット支持部１５Ｂの軸貫通孔１５ｅを貫通し下方側まで延在させた状態で取り付けられ、前記ピボットシュー１７とピボット支持部１５Ｂとの間の軸部１８にスプリング１９が外嵌された摺動ピボット１６とからなる。【選択図】図１６
2017160700.tif 000002
【特許請求の範囲】
【請求項１】
折戸の上部側端部に取り付けられるランナ取付具であって、
前記ランナ取付具は、前面に形成された開口部から連通する内部空間を有し、折戸の側面に埋設して固定されるケース体を備えるとともに、前記ケース体には上部に平面状の上面部が形成され、かつこの上面部に、軸部材が水平方向から挿入可能なように溝部が形成された収容ケースを備え、該収容ケースの内部空間内に、左右一対で対向配置されるとともに、鉛直軸周りに回動自在に支持され、前記軸部材の水平方向からの挿入により回動して前記軸部材を抜脱不能に挟持するロック部材と、該ロック部材に係合し、前記軸部材の挟持状態の保持及びその解除を可能とする係合ブロックとを含む軸部材の着脱機構を備えており、
前記ランナ取付具は着脱自在に取り付けられる摺動ピボット用アタッチメントを備え、該摺動ピボット用アタッチメントは、前記ケース体の上面部を挟むように嵌合される嵌合取付部と、軸貫通孔が形成されたピボット支持部とを有する着脱ホルダ部材と、上端に鉛直軸回りに回転可能なピボットシューを備え、軸部が前記ピボット支持部の軸貫通孔を貫通し下方側まで延在させた状態で取り付けられ、前記ピボットシューとピボット支持部との間の軸部にスプリングが外嵌された摺動ピボットとから構成されることを特徴とする折戸の上部ランナ取付具。
【請求項２】
前記ロック部材の下端には、下方に突出する突出軸が備えられるとともに、前記係合ブロックは、前記ロック部材の下面側に配置されるとともに、バネ部材により吊戸面外方向に付勢保持され、かつ上面には前記突出軸が係合する凹状部が設けられ、
前記凹状部は、平面視で、左右両側に前記軸部材の水平方向からの挿入に伴う前記ロック部材の回動により前記突出軸と摺動し、前記係合ブロックをバネ付勢力に抗して前記ランナ取付具内に没入させる傾斜辺部が形成されるとともに、前記傾斜辺部の中間部に、前記突出軸が前記傾斜辺部を乗り越えた時点で、バネ付勢力によって前記係合ブロックが移動し、前記突出軸を移動不能に収容保持することにより、前記軸部材を抜脱不能状態に保持する突出軸の収容保持部が形成され、かつ前記収容保持部の対向面位置に、前記係合ブロックの没入操作により、前記突出軸間に挟入し、前記突出軸間を拡開させることにより前記軸部材の保持状態を解除させる山形辺状の解除部が形成されている請求項１記載の折戸の上部ランナ取付具。
【請求項３】
前記各ロック部材には、互いに噛合する歯車部が形成されている請求項１、２いずれかに記載の折戸の上部ランナ取付具。
【発明の詳細な説明】
【技術分野】
【０００１】
本発明は、折戸の上部に取り付けられるランナ取付具に係り、詳しくはローラを備え上レール内を走行自在とされる走行ランナによって折戸が吊持された吊戸型の折戸と、戸元側で支持され戸先側上端に上レールの溝部に嵌合しスライドをガイドする摺動ピボットを備えた戸元支持型の折戸とに共通的に使用可能とした折戸のランナ取付具に関する。
【背景技術】
【０００２】
従来より、折戸の上部に取り付けられるランナ取付具として、下記特許文献１には、被取付部に、取付部を水平方向から導入するための側面に開口を有し且つこの開口が上下方向に形成された導入部と、導入部の奥側に連設された仮保持部と、仮保持部と導入部との間に設けられて取付部が水平方向に移動して仮保持部から抜けるのを防止する抜止め部と、仮保持部の下方側に連設されて取付部と被取付部の上下方向の相対移動により取付部を水平方向及び上下方向に本固定するための本固定部とを備えたものが開示されている。
【０００３】
さらに、下記特許文献２には、レールを走行するランナ本体に取り付けられた吊軸と、戸板に取付けられた連結部材とを備え、前記吊軸には相対的に径の大きな大径部と相対的に径の小さな小径部とが設けられるとともに、前記連結部材は弾性を有して吊軸の軸心に対して対向して２片が配置され下方へ向けて幅狭に形成され吊軸のフランジ部に係止される係止片が設けられ、前記連結部材を吊軸の径方向、軸方向の２方向へ移動させることで吊軸、連結部材を着脱させるものが開示されている。
【０００４】
しかしながら、上記特許文献１記載のランナ取付具では、戸の取付けにおいて、被取付部を取付部に向けて水平移動させることにより、前記取付部が被取付部の導入部から仮保持部に向かって水平方向に押し込まれて仮保持された状態にするとともに、抜止め部にて抜止めし、その後戸を持ち上げることにより戸を本固定する２手順の操作を要するものであるため、吊込み作業が煩雑であった。
【０００５】
また、上記特許文献２記載のランナ取付具も吊軸の径方向と、軸方向との２方向へ移動させる２手順の操作を要するものであり、吊込み作業が煩雑である。また、前記係止片は嵌合部の下方から拡開部の下方にまで至る長尺状に形成されるものであり、前記吊軸との係止にあたっては、円形の吊軸のフランジ部と２片の平行な長尺状の係止片とを係合させる構造であるため、軸方向移動時に、前記フランジ部が係止片を拡開させる分だけ余計に押上げ力を加える必要があり、作業性が悪いなどの問題があった。更に、係合状態を解除するには、係止片の下方に設置された山形のロック解除体を上方に押し上げることにより、係止片を拡開させる構造であるため、係止片の十分な拡開のためにはロック解除体に大きな押上げ力を作用させなければならず、この点でも作業性が悪いという欠点があった。
【０００６】
このような問題点に鑑み、本出願人は下記特許文献３において、実質的に水平移動の操作で吊込みが完了でき、吊込み作業を容易化するとともに、確実な吊込み状態の維持及び簡便な吊込み状態の解除が可能な吊戸のランナ取付具を提案した。具体的には、走行レールに沿って走行自在とされるランナ本体と、該ランナ本体から下方向に突出した連結軸と、吊戸の上部に固定され前記連結軸と連結されるランナ取付具とからなり、前記連結軸が前記ランナ取付具に対して着脱自在とされる吊戸の吊込み装置であって、前記連結軸は、相対的に径の大きな大径部を備え、前記ランナ取付具は、左右一対で対向配置されるとともに、鉛直軸周りに回動自在に支持され、前記連結軸の水平方向からの挿入により回動して前記連結軸の大径部を抜脱不能に挟持するロック部材と、該ロック部材に係合し、前記連結軸の挟持状態の保持及びその解除を可能とする係合ブロックとを含む連結軸の着脱機構を備えている構造を提案した。
【先行技術文献】
【特許文献】
【０００７】
【特許文献１】特許第３７６４７３５号公報
【特許文献２】特開２００７−２４６６号公報
【特許文献３】特開２００９−１６７７０９号公報
【発明の概要】
【発明が解決しようとする課題】
【０００８】
ところで、折戸には、前記特許文献３や図２０に示されるように、開口部の上側に上レール５０が配設されるとともに、下側に下レール５１が配設され、折戸５２の上側端に固定される走行ランナ５３が前記上レール５０に沿って走行案内され折戸５２を吊り状態で支持するとともに、折戸５２の下側端に固定される下側走行体５４が前記下レール５１に沿って走行案内されることにより、開閉可能となっている吊戸型の折戸の他に、図２１に示されるように、近年のバリヤフリー化に対応させるために、取付け枠の無目に上レール６０を取付け、折戸の戸元側下端部を床面に直付けされた下部固定用軸受け金具６１によって回転自在に支持するとともに、戸元側上端部を前記上レール６０に嵌合状態で固定された上部固定用軸受け金具６２によって回転自在に支持し、かつ戸先側上端部に設けた摺動ピボット６３を上レール６０の溝部に沿って走行自在とした構造の戸元支持型の折戸も存在する。
【０００９】
前者の吊戸型の折戸に使用するランナ取付具は、上レール内を走行する走行ランナの下面から突出した連結軸に対して連結される構造となり、後者の戸元支持型の折戸に使用するランナ取付具は、摺動ピボットを支持する構造となる。従って、メーカー側としては、前記吊戸型の折戸に適応したランナ取付金具と、前記戸元支持型の折戸に適応したランナ取付具との両方を予め準備する必要があり、品目が増え管理が煩雑になるとともに、製作コストも嵩むことになっていた。
【００１０】
そこで本発明の主たる課題は、ローラを備え上レール内を走行自在とされる走行ランナによって折戸が吊持された吊戸型の折戸と、戸元側で支持され戸先側上端に上レールの溝部に嵌合しスライドをガイドする摺動ピボットを備えた戸元支持型の折戸とに共通的に使用可能とした折戸のランナ取付具を提供することにある。
【課題を解決するための手段】
【００１１】
前記課題を解決するために請求項１に係る本発明として、折戸の上部側端部に取り付けられるランナ取付具であって、
前記ランナ取付具は、前面に形成された開口部から連通する内部空間を有し、折戸の側面に埋設して固定されるケース体を備えるとともに、前記ケース体には上部に平面状の上面部が形成され、かつこの上面部に、軸部材が水平方向から挿入可能なように溝部が形成された収容ケースを備え、該収容ケースの内部空間内に、左右一対で対向配置されるとともに、鉛直軸周りに回動自在に支持され、前記軸部材の水平方向からの挿入により回動して前記軸部材を抜脱不能に挟持するロック部材と、該ロック部材に係合し、前記軸部材の挟持状態の保持及びその解除を可能とする係合ブロックとを含む軸部材の着脱機構を備えており、
前記ランナ取付具は着脱自在に取り付けられる摺動ピボット用アタッチメントを備え、該摺動ピボット用アタッチメントは、前記ケース体の上面部を挟むように嵌合される嵌合取付部と、軸貫通孔が形成されたピボット支持部とを有する着脱ホルダ部材と、上端に鉛直軸回りに回転可能なピボットシューを備え、軸部が前記ピボット支持部の軸貫通孔を貫通し下方側まで延在させた状態で取り付けられ、前記ピボットシューとピボット支持部との間の軸部にスプリングが外嵌された摺動ピボットとから構成されることを特徴とする折戸の上部ランナ取付具が提供される。
【００１２】
上記請求項１記載の発明では、前記ランナ取付具は、前記収容ケース内に、左右一対で対向配置されるとともに、鉛直軸周りに回動自在に支持され、前記軸部材の水平方向からの挿入により回動して前記軸部材を抜脱不能に挟持するロック部材と、該ロック部材に係合し、前記軸部材の挟持状態の保持及びその解除を可能とする係合ブロックとを含む軸部材の着脱機構を備えている。
【００１３】
従って、ローラを備え上レール内を走行自在とされる走行ランナによって折戸が吊持された吊戸型の折戸に適用する場合は、前記摺動ピボット用アタッチメントを取り付けることなく、下方向に突出した連結軸が固定されたランナ本体を上レールに取り付けた状態で、前記ランナ取付具が固設された折戸を水平方向から押し込むだけで軸部材（連結軸）のランナ取付具への固定が完了し、従来の吊込み装置のように折戸を上方へ移動させる必要がなくなり、折戸の吊込み作業が容易化できるようになる。なお、前記ランナ取付具は、前記ロック部材に係合し、前記連結軸の挟持状態の保持及びその解除を可能とする係合ブロックを備えることにより、前記ロック部材による連結軸の挟持状態が確実に保持され、確実に吊込み状態が維持できるとともに、簡単に吊込み状態を解除できるようになる。
【００１４】
一方で、戸元側で支持され戸先側上端に上レールの溝部に嵌合しスライドをガイドする摺動ピボットを備えた戸元支持型の折戸に適用する場合は、前記摺動ピボット用アタッチメントを持ち込み、前記嵌合取付部を前記ケース体の上面部を挟むようにしながら水平方向から押し込むと、前記ピボット支持部の軸貫通孔を貫通し下方側まで延在させた状態で取り付けられた軸部が前記ロック部材により抜脱不能に挟持されるようになる。
【００１５】
以上のように、前記摺動ピボット用アタッチメントを取り付けない場合は、吊戸型の折戸に適用でき、前記摺動ピボット用アタッチメントを取り付けた場合は戸元支持型の折戸に適用できるようになるため、品目が１種類で済むようになり、管理が簡素化されるとともに、製作コストの低減が図れるようになる。
【００１６】
請求項２に係る本発明として、前記ロック部材の下端には、下方に突出する突出軸が備えられるとともに、前記係合ブロックは、前記ロック部材の下面側に配置されるとともに、バネ部材により吊戸面外方向に付勢保持され、かつ上面には前記突出軸が係合する凹状部が設けられ、
前記凹状部は、平面視で、左右両側に前記軸部材の水平方向からの挿入に伴う前記ロック部材の回動により前記突出軸と摺動し、前記係合ブロックをバネ付勢力に抗して前記ランナ取付具内に没入させる傾斜辺部が形成されるとともに、前記傾斜辺部の中間部に、前記突出軸が前記傾斜辺部を乗り越えた時点で、バネ付勢力によって前記係合ブロックが移動し、前記突出軸を移動不能に収容保持することにより、前記軸部材を抜脱不能状態に保持する突出軸の収容保持部が形成され、かつ前記収容保持部の対向面位置に、前記係合ブロックの没入操作により、前記突出軸間に挟入し、前記突出軸間を拡開させることにより前記軸部材の保持状態を解除させる山形辺状の解除部が形成されている請求項１記載の折戸の上部ランナ取付具が提供される。
【００１７】
上記請求項２記載の発明は、前記係合ブロックによる前記軸部材の挟持状態の保持及びその解除を行うための具体的な前記ロック部材及び係合ブロックの構造を示したものである。
【００１８】
請求項３に係る本発明として、前記各ロック部材には、互いに噛合する歯車部が形成されている請求項１、２いずれかに記載の折戸の上部ランナ取付具が提供される。
【００１９】
上記請求項３記載の発明は、前記各ロック部材には、互いに噛合する歯車部が形成されることにより、左右一対のロック部材を相互に連動して回動させるようにしたものである。これにより、吊戸の建込み時に前記連結軸が一方のロック部材のみに当接し、この一方のロック部材のみがロックされるという不具合を回避することができる。
【発明の効果】
【００２０】
以上詳説のとおり本発明によれば、ローラを備え上レール内を走行自在とされる走行ランナによって折戸が吊持された吊戸型の折戸と、戸元側で支持され戸先側上端に上レールの溝部に嵌合しスライドをガイドする摺動ピボットを備えた戸元支持型の折戸とに共通的に使用可能とした折戸のランナ取付具を提供することができる。
【図面の簡単な説明】
【００２１】
【図１】吊込み装置１に支持された折戸２を示す、(A)は正面図、(B)はそのＢ−Ｂ断面図である。
【図２】ランナ本体６及び連結軸７の組立て状態を示す斜視図である。
【図３】ランナ本体６部分の要部拡大断面図である。
【図４】ランナ取付具８の分解図である。
【図５】ランナ取付具８の組み立て状態を示す横断面図である。
【図６】収容ケース２０を示す、(A)は正面図、(B)は上面図、(C)は側面図である。
【図７】ロック部材２１を示す、(A)は正面図、(B)は上面図、(C)は側面図である。
【図８】係合ブロック２２を示す、(A)は平面図、(B)は前面図、(C)は側面図、(D)は(A)のＤ−Ｄ線矢視図である。
【図９】吊戸２の吊込み方法の施工要領を示すランナ取付具８の縦断面斜視図である。
【図１０】吊戸２の吊込み方法の施工要領を示す横断面平面図である。
【図１１】吊戸２の取り外し方法の施工要領を示す横断面平面図である。
【図１２】第２形態例に係るロック部材２８の斜視図である。
【図１３】第２形態例に係るロック部材２８を示す、(A)は正面図、(B)は下面図、(C)は側面図である。
【図１４】第２形態例に係る吊戸２の吊込み方法の施工要領を示すランナ取付具８の横断面平面図である。
【図１５】摺動ピボット用アタッチメント１４を取り付けた状態(摺動ピボットタイプでの使用形態)のランナ取付具８の斜視図である。
【図１６】その分解図である。
【図１７】摺動ピボット用アタッチメント１４を示す、(A)は正面図、(B)は平面図、(C)は右側面図である。
【図１８】外れ止め部材３４を示す、(A)は正面図、(B)は平面図、(C)は右側面図である。
【図１９】外れ止め部材３４の装着状態を示すランナ取付具８の上半裁断断面斜視図である。
【図２０】吊戸型の折戸を示す斜視図である。
【図２１】戸元支持型の折戸を示す斜視図である。
【発明を実施するための形態】
【００２２】
以下、本発明の実施の形態について図面を参照しながら詳述する。
【００２３】
本発明に係るランナ取付具８は、ローラを備え上レール内を走行自在とされる走行ランナによって折戸が吊持された吊戸型の折戸と、戸元側で支持され戸先側上端に上レールの溝部に嵌合しスライドをガイドする摺動ピボットを備えた戸元支持型の折戸とに共通的に使用可能としたものであり、前者を「走行ランナタイプでの使用形態」といい、後者を「摺動ピボットタイプでの使用形態」という。先ず最初に、「走行ランナタイプでの使用形態」について詳述する。
【００２４】
〔走行ランナタイプでの使用形態〕
図１に示されるように、折戸２は、開口部の上側に上レール３が配設されるとともに、下側に下レール４が配設され、折戸２の上側端に固定されるランナ本体６が前記上レール３に沿って走行案内されるとともに、折戸２の下側端に固定される下側走行体（摺動ピボット）５が前記下レール４に沿って走行案内されることにより、開閉可能となっている。
【００２５】
前記吊込み装置１は、前記上レール３に沿って走行自在とされるランナ本体６と、該ランナ本体６から下方に突出した連結軸７と、折戸２の上部に対して固定され前記連結軸７と連結されるランナ取付具８とからなり、前記連結軸（本発明の「軸部材」に相当）７が前記ランナ取付具８に対して着脱自在とされている。
【００２６】
図２及び図３に示されるように、前記ランナ本体６は、ローラ支軸１０Ａ、１０Ｂによって両側に夫々２個ずつ支持された合計４個のローラ１１、１１…を備え、これらローラ１１、１１…が上レール３の走行溝３ａ、３ａを転動することにより上レール３に沿って移動自在となっている。また、前記ローラ支軸１０Ａ、１０Ｂ間の略中央部から下方に向けて前記ランナ取付具８と連結される連結軸７が取り付けられている。ここで、前記ランナ本体６には、前記連結軸７の上下方向位置を調整するための調整機構が備えられている。
【００２７】
前記調整機構は、一般に使用されているものでも構わないが、特開２０００−３２０２３０号公報に記載された調整機構が好適に使用できる。詳細には図３に示されるように、ランナ本体６には一方側のローラ支軸１０Ｂを含む範囲に中空部６ａが形成され、前記ローラ１１を支持するローラ支軸１０Ｂを共通の支軸として揺動自在の揺動片１２が設けられている。この揺動片１２は、揺動がわ先端部に縦方向の軸挿通孔１２ａが形成されており、ランナ本体６の下面側に形成された軸貫通孔６ｂより連結軸７の上部を挿入するとともに、この軸挿通孔１２ａに連結軸７の上端部を挿通した後、先端がカシメられ、前記連結軸７が下側に抜け出ないように保持されるようになっている。また、前記ランナ本体６の下面側には、側部より斜め上方向に向けて螺入された上下方向調整ネジ１３が設けられ、この上下方向調整ネジ１３の先端が揺動片１２下面のネジ当接面１２ｂに対して当接している。
【００２８】
前記連結軸７の上下方向位置を調整するに当たっては、ドライバー（ネジ回し）Ｓを持ち込み、前記上下方向調整ネジ１３を軸芯回りに回転させて螺退進させ、前記揺動片１２の揺動位置を調整することにより行う。
【００２９】
かかる上下調整機構の場合には、揺動片１２を介して連結軸７を支持し、連結軸７の上下移動は上下方向調整ネジ１３による揺動片１２の揺動操作によって成される。したがって、前記連結軸７は、調整ネジ１３から水平方向の押圧力を一切受けることがなく、常に揺動片１２により吊り状態で支持されるものとなるため、連結軸７の軸芯回りの回転は常に円滑に維持されるようになる。
【００３０】
前記連結軸７は、図２に示されるように、軸部７ａの下端に、相対的に径の大きなフランジ状の大径部７ｂを備えている。
【００３１】
図４に示されるように、前記ランナ取付具８は、開口部２６Ａから連通する内部空間を有する収容ケース２０と、前記収容ケース２０の内部空間内に、左右一対で対向配置されるとともに、鉛直軸周りに回動自在に支持され、前記連結軸７の水平方向からの挿入により回動して前記連結軸７の大径部７ｂを抜脱不能に挟持するロック部材２１、２１と、該ロック部材２１に係合し、前記連結軸７の挟持状態の保持及びその解除を可能とする係合ブロック２２と、前記係合ブロック２２を吊戸２面外方向（外方向）に付勢保持するバネ部材２３とから主に構成されている。なお、前記ロック部材２１、２１は、それぞれ、前記収容ケース２０の上面から挿通される連通軸２４によって回動自在に支持されている。
【００３２】
図６に示されるように、前記収容ケース２０は、前面に形成された開口部２６Ａから連通する内部空間を有し、吊戸２の側面側に埋設して固定されるケース体２５と、吊戸２への固定を図る正面視略矩形状の取付フランジ２６とから構成されている。
【００３３】
前記ケース体２５は、後面が閉塞された略円筒状の外形を成し、その外周上部は吊戸２の上面と同面となるように平面状の上面部２５Ａが形成されている。前記上面部２５Ａには、前記連結軸７の軸部７ａが水平方向に挿入可能なように溝部２７が形成されている。この溝部２７の導入部は、前記連結軸７の挿入がスムーズに行われるようにするため、開口側端に向けて拡開したテーパ部２７ａが形成されている。
【００３４】
また、前記ケース体２５の上面部２５Ａには、前記溝部２７の両側に、ロック部材２１を回動自在に支持するための連通軸２４が挿通される軸挿通孔２５ａ、２５ａが左右対で設けられるとともに、ケース体２５内部の両側面から突出した支持台２５ｂ、２５ｂにはそれぞれ、同様に連通軸２４が挿通される軸挿通孔２５ｃが設けられている。
【００３５】
前記取付フランジ２６には、吊戸２の側面に固定する固定用ビス（図示せず）を取付けるための取付穴２６ａ、２６ａ…が設けられている。
【００３６】
前記ロック部材２１は、図４に示されるように、前記ケース体２５内に左右一対で左右対称のものが対向配置され、各ロック部材２１は、図７に示されるように、略半円筒形の外形を有している。前記ロック部材２１には、回動中心となる位置に前記連通軸２４が挿通される軸挿通孔２１ａが設けられている。また、ロック部材２１、２１を対向配置した状態で鉛直軸周りに回動させる際に、ロック部材２１、２１同士が当接して回動が阻害されないように、隅切りした円弧状の欠切部２１ｂが設けられている。
【００３７】
前記ロック部材２１の内周面には、前記連結軸７の軸部７ａ及び大径部７ｂの外径にそれぞれ対応して、相対的に内径の小さな小円弧部２１ｃ及び相対的に内径の大きな大円弧部２１ｄが形成されており、その境界部には段差が形成されている。これにより、ロック部材２１、２１による挟持状態で、前記連結軸７の大径部７ｂが前記大円弧部２１ｄで抜脱不能に挟持されるようになっている。
【００３８】
また、前記ロック部材２１の下面端部には、下方に突出する突出軸３０が備えられている。この突出軸３０は、後述する係合ブロック２２の凹状部３１と滑らかな摺動を可能とするものであれば、円形断面（図示例）、楕円断面、小判断面等、任意の形状とすることができる。これらの中でも、小判断面とすることが好ましい。仮に、突出軸３０を小判断面とした場合には、係合ブロック２２の移動を実現するとともに、後述する係合ブロック２２の収容保持部３１ｂに収容された状態で、直線部の側面同士を当接させるようにすれば、確実な収容状態を維持することが可能となる。
【００３９】
図４及び図５に示されるように、前記係合ブロック２２は、バネ部材２３により吊戸２の面外方向（外方向）に付勢保持されている。前記バネ部材２３は、一方端が前記係合ブロック２２の後面中央部に設けられた凸状部２２ａに外嵌されるとともに、他方端が前記ケース体２５内の後面下方中央部に設けられた凸状部２５ｄに外嵌されている。
【００４０】
さらに、前記係合ブロック２２の上面には、図８に示されるように、前記ロック部材２１の突出軸３０を係合させるために、窪み状の凹状部３１が設けられている。この凹状部３１は、平面視で、左右両側に前記連結軸７の水平方向からの挿入に伴う前記ロック部材２１の回動により前記突出軸３０と摺動し、前記係合ブロック２２をバネ付勢力に抗して前記ランナ取付具８内に没入させる傾斜辺部３１ａ、３１ａが形成されるとともに、前記傾斜辺部３１ａ、３１ａの中間部に、前記突出軸３０が前記傾斜辺部３１ａを乗り越えた時点で、前記バネ部材２３のバネ付勢力によって前記係合ブロック２２が移動し、前記突出軸３０、３０を移動不能に収容保持することにより、前記連結軸７を抜脱不能状態に保持する突出軸の収容保持部３１ｂが形成され、かつ前記収容保持部３１ｂの対向面位置に、前記係合ブロック２２の没入操作により、前記突出軸３０、３０間に挟入し、前記突出軸３０、３０間を拡開させることにより前記連結軸７の保持状態を解除させる山形辺状の解除部３１ｃが形成されている。
【００４１】
なお、前記係合ブロック２２の前面は、該係合ブロック２２の没入操作をするために平面状の押圧部２２ｂとなっている。また、係合ブロック２２の没入操作による過大な移動を防止するため、この押圧部２２ｂの下方に係合ブロック２２の底面より下方に突出したストッパー部２２ｃが形成されるとともに、このストッパー部２２ｃを係止するため、前記ケース体２５の内側底部に、開口部から所定の奥行き位置において突出する段差部２５ｅが設けられている。
【００４２】
次に、吊戸２の吊り込み及び取り外しの施工方法について、図９〜図１１に基づいて説明する。図９は吊戸２の吊込み方法の施工要領を示すランナ取付具８の縦断面斜視図、図１０はその横断面平面図、図１１は吊戸２の取り外し方法の施工要領を示す横断面平面図である。
【００４３】
先ず、ランナ本体６に連結軸７を取付けるとともに、ランナ本体６を走行レールに取付ける。また、ランナ取付具８を吊戸２に固設するとともに、ロック部材２１、２１は、図９(A)及び図１０(A)に示されるように、拡開した位置に保持しておく。
【００４４】
この状態で、図９(A)、図１０(A)に示されるように、吊戸２のランナ取付具８部分を、前記連結軸７に向けて水平方向に移動させる。なお、予め、連結軸７の上下方向位置は、大径部７ｂがロック部材２１の大円弧部２１ｄの形成高さの範囲内となるように、前記ランナ本体６の連結軸７の上下方向位置調整機構により調整しておく。
【００４５】
さらに吊戸２を水平方向に移動すると、図９(B)、図１０(B)に示されるように、連結軸７がケース体２５の溝部２７に進入し、連結軸７の大径部７ｂ及び軸部７ａがそれぞれ、ロック部材２１の大円弧部２１ｄおよび小円弧部２１ｃに当接し、ロック部材２１が連通軸２４を回転中心として回動を始める。このロック部材２１の回動に伴い、突出軸３０が傾斜辺部３１ａ、３１ａを摺動することにより、係合ブロック２２がバネ付勢力に抗して没入方向に移動を開始する。
【００４６】
その後、突出軸３０が前記傾斜片部３１ａを乗り越えると、バネ付勢力によって係合ブロック２２が吊戸外面方向（外方向）に移動し、突出軸３０、３０が収容保持部３１ｂに移動不能に収容保持される（図９(C)、図１０(C)）。これにより吊戸２の建込みが完了する。
【００４７】
本吊込み装置１の場合は、実質的に水平移動の操作で、ランナ取付具８と連結軸７とを連結できるため、下部走行体５，５を下レール４に設置した状態で、平面視でＶ字状に折り曲げた折戸２の内側に２つのランナ本体６を位置決めし、折戸２を更に折り畳みながらランナ取付具８を連結軸７に対面させるようにし、その状態のまま（或いは上下に位置ズレしている場合は若干、持上げぎみとしながら）、折戸２を両側から折り畳むように押圧するだけで、前記ランナ取付具８内に連結軸７を挿入させて両者を連結することが可能となり、吊込み作業が簡単かつ容易に行える。
【００４８】
続いて、吊戸２の取り外し方法について説明する。この場合、先ず、図１１(A)に示されるように、前記係合ブロック２２の前面押圧部２２ｂをバネ付勢力に抗して没入操作し、前記突出軸３０、３０の収容保持部３１ｂへの収容保持状態を解除する。すると、この収容保持状態の解除と同時に、解除部３１ｃが突出軸３０、３０間に挟入される（同図(B)）。これにより、突出軸３０、３０間が拡開し、これに伴い前記突出軸３０，３０が傾斜辺部３１ａ、３１ａに乗上げるため、係合ブロック２２がバネ部材２３の付勢力によって外方向に移動されると、ロック部材２１、２１がそれぞれ回動して、連結軸７の挟持状態が解除され、吊戸２の取り外しができるようになる（同図(C)、(D)）。
（第２形態例）
本第２形態例は、上記第１形態例に対し、ロック部材の形態が異なるものである。具体的には、図１２及び図１３に示されるように、各ロック部材２８の本体部分の下面には、対向配置した状態で互いに噛合するように、側面方向に突出した歯車部２８ａが形成されている。これにより、ロック部材２８、２８を相互に連動して回動させることができるようになる。
【００４９】
前記ロック部材２８、２８を使用した場合の吊戸２の吊込み施工方法について、図１４に基づいて説明する。同図(A)に示されるように、ロック部材２８、２８を拡開した位置に保持したランナ取付具８部分を、前記連結軸７に向けて水平方向に移動させる。すると、連結軸７の大径部７ｂ及び軸部７ａがそれぞれ、ロック部材２８の大円弧部２１ｄおよび小円弧部２１ｃに当接し、ロック部材２８が連通軸２４を回転中心として回動を始める。このとき、連結軸７が一方のロック部材２８のみに当接する片当たりが生じても、前記歯車部２８ａ、２８ａが噛合することにより、左右一対のロック部材２８、２８はそれぞれ同じ回転角度で回動するようになる。その後、各ロック部材２８、２８に設けられた突出軸３０、３０がそれぞれ、確実に収容保持部３１ｂに移動不能に収容保持される（同図(B)）。
【００５０】
〔摺動ピボットタイプでの使用形態〕
前記〔走行ランナタイプでの使用形態〕は、前記ランナ取付具８を上レール３内を走行するランナ本体６から下方に突出した連結軸７に対して直接的に係合させるようにするものであるが、前記ランナ取付具８に対して摺動ピボット用アタッチメント１４を取り付けることによって、図２１に示されるように、戸先側上端部に設けた摺動ピボット６３を上レール６０の溝部に沿って走行自在とした構造の戸元支持型の折戸に適用可能とした形態（摺動ピボットタイプでの使用形態）について詳述する。なお、前記上レール６０の断面形状は、図１(B)に示される下レール４を丁度、上下反対にした断面形状を成しているものである。
【００５１】
前記ランナ取付具８に対して、本発明に係る摺動ピボット用アタッチメント１４を取り付けた状態を図１５に示す。
【００５２】
前記摺動ピボット用アタッチメント１４は、前記ランナ取付具８の前記ケース体２５の上面部２５Ａの前面側を挟むように嵌合される嵌合取付部１５Ａと、軸貫通孔１５ｅが形成されたピボット支持部１５Ｂとを有する着脱ホルダ部材１５と、上端に鉛直軸回りに回転可能なピボットシュー１７を備え、軸部１８が前記ピボット支持部１５Ｂの貫通孔１５ｅを貫通し下方側まで延在させた状態で取り付けられ、前記ピボットシュー１７とピボット支持部１５Ｂとの間の軸部１８にスプリング１９が外嵌された摺動ピボット１６とから構成される。
【００５３】
以下、更に図面に基づいて具体的に詳述する。
【００５４】
前記ランナ取付具８の前記ケース体２５の上面部２５Ａの上面には、図１６に示されるように、前記摺動ピボット用アタッチメント１４の挿入方向に縦長の凹陥部２５ｆが形成されているとともに、前記上面部２５Ａの直ぐ下側であって開口部２６Ａの両側壁の上端部に溝部２５ｇ、２５ｇが形成されている。これら凹陥部２５ｆ、溝部２５ｇは前記着脱ホルダ部材１５を挿入する際のガイドとして形成されたものである。
【００５５】
前記着脱ホルダ部材１５は、図１７にも示されるように、前記ランナ取付具８の前記ケース体２５の上面部２５Ａを挟むように嵌合される嵌合取付部１５Ａと、軸貫通孔１５ｅが形成されたピボット支持部１５Ｂとを有する。前記嵌合取付部１５Ａは、図１７(C)に示されるように、上面壁１５ａと、縦壁１５ｂと、底面壁１５ｃとにより、ランナ取付具８側に開口する断面略コ字状を成す部材である。前記上面壁１５ａは図示例では枠状の部材として形成されているが、板状の部材で形成されていてもよい。前記底面壁１５ｃの両端部が前記ランナ取付具８に形成された溝部２５ｇ、２５ｇに対して嵌合されるようになっている。そして、前記上面壁１５ａと、縦壁１５ｂと、底面壁１５ｃとにより形成された断面コ字状を成す嵌合部１５ｄが前記ケース体２５の上面部の前面側を挟むように嵌合されるようになっている。
【００５６】
前記嵌合取付部１５Ａの挿入方向側に隣接して一体的に前記ピボット支持部１５Ｂが形成されている。前記ピボット支持部１５Ｂは、平面視で略円形を成し、その中央に摺動ピボット１６を貫通状態で支持するための軸貫通孔１５ｅが形成されている。また、下面側には前記ケース体２５の上面に形成された縦長の凹陥部２５ｆに対して嵌合する嵌合ガイド部１５ｆが形成されている。
【００５７】
一方、前記摺動ピボット１６は、同図１７に示されるように、上端に鉛直軸回りに回転可能なピボットシュー１７を備え、軸部１８が前記ピボット支持部１５Ｂの軸貫通孔１５ｅを貫通し下方側まで延在させた状態で取り付けられている。前記ピボットシュー１７は、樹脂などの部材からなり軸部１８の上端にベアリングを介して取り付けられており、軸部１８を回転中心として鉛直軸回りに回転可能になっている。前記軸部１８のピボット支持部１５Ｂから下側への突出量(突出長さ)は、本摺動ピボット用アタッチメント１４をランナ取付具８に取り付けた際に、ランナ取付具８のロック部材２１，２１(２８、２８)に対して係合し得る長さとする。
【００５８】
前記ピボットシュー１７とピボット支持部１５Ｂとの間の軸部１８にはスプリング１９が外嵌されており、軸部１８を下側に押し込んで前記ピボットシュー１７を上レール６０の溝に嵌合させた状態では前記スプリング１９により前記ピボットシュー１７が上レール６０に対して付勢されるようになっている。
【００５９】
前記摺動ピボット用アタッチメント１４をランナ取付具８に装着するには、図１６に示されるように、嵌合取付部１５Ａの嵌合部１５ｄを前記ケース体２５の上面部２５Ａを挟むようにしながら挿入するだけでよい。前記摺動ピボット用アタッチメント１４を挿入すると、軸部１８の下端が前記ランナ取付具８のロック部材２１，２１(２８、２８)を回転させて前記〔走行ランナタイプでの使用形態〕の欄で説明した連結軸７との係合要領によって、抜脱不能に保持される。前記摺動ピボット用アタッチメント１４の取り外し方法は、前記係合ブロック２２の前面押圧部２２ｂをバネ付勢力に抗して没入操作し、前記突出軸３０、３０の収容保持部３１ｂへの収容保持状態を解除すると、軸部１８の挟持状態が解除され、前記摺動ピボット用アタッチメント１４を取り外すことができる。
【００６０】
ところで、前記摺動ピボット用アタッチメント１４が不意に外れないように、外れ止め部材３４を設けることもできる。図１６に示されるように、前記摺動ピボット用アタッチメント１４を装着した状態で、その下側の開口部２６Ａに対して外れ止め部材３４を挿入設置するだけで前記摺動ピボット用アタッチメント１４の外れ止めを図ることができる。
【００６１】
前記外れ止め部材３４は、詳細には図１８に示されるように、中央連結部３６の前面側に摘み部３５を備えるとともに、その両側に中央連結部３６よりも挿入側方向に突出した部分を有する左右一対の挟持片３７Ａ、３７Ｂを備えた部材である。前記中央連結部３６の前端面には凹部３６ａを有するとともに、前記左右一対の３７Ａ、３７Ｂの先端には連通軸２４に対して係合する軸係合部３７ａ、３７ｂを有し、前記中央連結部３６と両側の挟持片３７Ａ，３７Ｂとにより平面視で凹状の嵌合凹部３８が形成されている。
【００６２】
図１９に示されるように、前記外れ止め部材３４を開口部２６Ａから挿入した状態では、閉じた状態のロック部材２８，２８が回転しないように、前記左右一対の挟持片３７Ａ、３７Ｂにより両側から押さえるとともに、ロック部材２８，２８の接合突起部分が前記凹部３６ａに嵌り込んでロック部材２８、２８が回転しないように保持される。なお、図１９に示されるロック部材２８の形状は、前述した第２形態例(図１２参照)に係るものであり、前述した外れ止め部材３４は前記〔走行ランナタイプでの使用形態〕でも使用可能である。
【符号の説明】
【００６３】
１…吊込み装置、２…折戸、３…上レール、４…下レール、５…下側走行体、６…ランナ本体、７…連結軸、８…ランナ取付具、２０…収容ケース、２１…ロック部材、２２…係合ブロック、２３…バネ部材、２４…連通軸、２７…溝部、３０…突出軸、３１…凹状部、３１ａ…傾斜辺部、３１ｂ…収容保持部、３１ｃ…解除部、１４…摺動ピボット用アタッチメント、１５…着脱ホルダ部材、１５Ａ…嵌合取付部、１５Ｂ…ピボット支持部、１６…摺動ピボット、１８…軸部材、１９…スプリング
【図１】
2017160700.tif 000003
【図２】
2017160700.tif 000004
【図３】
2017160700.tif 000005
【図４】
2017160700.tif 000006
【図５】
2017160700.tif 000007
【図６】
2017160700.tif 000008
【図７】
2017160700.tif 000009
【図８】
2017160700.tif 000010
【図９】
2017160700.tif 000011
【図１０】
2017160700.tif 000012
【図１１】
2017160700.tif 000013
【図１２】
2017160700.tif 000014
【図１３】
2017160700.tif 000015
【図１４】
2017160700.tif 000016
【図１５】
2017160700.tif 000017
【図１６】
2017160700.tif 000018
【図１７】
2017160700.tif 000019
【図１８】
2017160700.tif 000020
【図１９】
2017160700.tif 000021
【図２０】
2017160700.tif 000022
【図２１】
2017160700.tif 000023